(57)【特許請求の範囲】
【請求項１】
多数個の球を貯留する貯留タンクと、該貯留タンクに貯留された球を１列に整列して流下させる球整列通路とを一体化したユニットを、基台を介して遊技機の背面側上部に設置した球貯留装置であって、
前記遊技機の背面側上部から水平に突出する水平摺動ガイド部材と、
前記水平摺動ガイド部材に沿って前記球整列通路を遊技機の背面に対して前記球の１通路の幅長さ分離間させるように遊技機の奥行き方向へと平行に水平移動させるスライド機構とを備えた水平移動手段を設け、
前記水平移動手段により前記球整列通路の終端側に有する球排出口を第１の球排出位置から該第１の球排出位置と並行して前記球の１通路の幅長さ分奥行き方向側に配設された第２の球排出位置へと平行に水平移動させて前記球整列通路の球排出位置を切替える構成とした
球貯留装置。
【請求項２】
前記水平移動手段を、
前記貯留タンクを前記遊技機に係止させて、前記球整列通路が移動するのを規制する移動規制手段と、
前記移動規制手段の係止状態を解除して、前記球整列通路が移動するのを許容させる移動解除手段と、
を備えて構成した請求項１に記載の球貯留装置。
【請求項３】
多数個の球を貯留する貯留タンクと、該貯留タンクに貯留された球を１列に整列して流下させる球整列通路と、球整列通路から整列されて流下される球を回転体の回転送り動作により下流側に払い出す球払出装置とを同傾斜方向に連設してなる一体型ユニットを遊技機の背面側上部に設置した球貯留装置であって、
前記球整列通路を遊技機の奥行き方向へと水平移動させる水平移動手段を設け、
前記水平移動手段により前記球整列通路を、球払出通路との接続位置より球抜通路との接続位置へと移動させる構成とした
請求項１又は２に記載の球貯留装置を備えた貯留タンク一体型球払出装置。
【請求項４】
請求項１又は２に記載の球貯留装置または請求項３に記載の貯留タンク一体型球払出装置を備えて構成した遊技機。
【発明の詳細な説明】
【技術分野】
【０００１】
この発明は、例えばパチンコ遊技機(以下、パチンコ機と称す)の球を貯留する球貯留装置に関し、さらに詳しくは貯留されている多数個の貯留球を抜き取る球抜機構の占有する領域を小さくした球貯留装置、貯留タンク一体型球払出装置及び遊技機に関する。
【背景技術】
【０００２】
一般に、パチンコ機はパチンコ球(以下、球と称す)をパチンコ機の背面側から前面側に球を供給している。この球の供給に際しては、パチンコ機の背面側上部に多数の球を貯留する貯留タンクを設置しており、この貯留タンクへはパチンコ機上方の図示しない補給機構から球を補給させて貯留し、貯留タンクから球を整列する球整列装置を介して、下流の球払出装置(入賞球処理装置)に導き、ここで球の払出時にパチンコ機の制御部より払出指令された球数をパチンコ機の前面下部に位置する上皿に払い出している。
【０００３】
また、パチンコ機には、パチンコ機の内部に有する球を回収して、空にする球抜機構や球抜通路が備えられている。この種の球抜機構は切替えレバーを備えて球払出装置や球整列装置などに一体化、もしくは近接して配設されている（例えば特許文献１参照）。そして、パチンコ機の出荷検査時、または遊技ホール内でのパチンコ機の移動(入れ替え)時、もしくはパチンコ機の撤去(廃棄)時等に、該パチンコ機の内部に残っている球を全て回収して空にすることが必要になり、このようなときに球抜機構が使用される。
【０００４】
ところで近年、遊技における趣向性を高めるために、液晶画面の大型化、遊技領域の拡大、演出効果部品の大型化などの対応が図られている。よって、このような対応を実現するにはパチンコ機の背面側での搭載部品及びユニットの配置自由度を高めることが必要になり、趣向性を高める部品の配置スペースを確保するためには球払出装置等の既存の部品のコンパクト化と貯留タンクと球払出装置を含むユニットの占有する領域の省スペース化が求められている。
【０００５】
前記特許文献１に示すようなパチンコ機では、その背面側に、球通路３５と球抜通路４２とが併設され、さらに球払出装置２４を下方に配置しているため、パチンコ機の背面側ではこれらの搭載部品の占有する領域が大きくなり、特に趣向性を高める部品を配置するために貯留タンク、球払出装置及び球整列通路等の配設スペースが制限され、配置自由度が小さくなっていた。また、球抜時に重錘部４９を操作して球抜用の可動部材４３を回動させるが、該可動部材４３が回動する範囲も考慮しなければならないため、可動部材４３の占有する領域も必然的に大きくなってしまう。
【０００６】
このような問題に着目して、払い出し用の排出部を貯留タンク近傍に配設した遊技機が提案されている(例えば特許文献２参照)。ところが、この場合においても払い出し通路２４と球抜通路としての回収通路２５を併設する必要があることと、通路の切替え部材である開閉板５８と、回収通路２５自体の配置スペースとが必要になり、液晶ユニットやその基板ケース１６の配置の妨げとなっていた。また、球抜時に操作部６１を操作して開閉板５８を回動させることになるが、回動する範囲も考慮しなければならないため、開閉板５８が占有する領域が大きくなってしまう問題を有していた。なお、ここで記載している符号については各々の特許文献１、２に記載されている符号を示す。
【０００７】
【特許文献１】特開２００３−１６４６３１
【特許文献２】特開２０００−３００７７３
【発明の開示】
【発明が解決しようとする課題】
【０００８】
そこでこの発明は、このような問題に鑑み、球抜機構をコンパクト化し、球抜時の球抜機構の動作範囲を少なくすることにより、その周辺の配置領域が広く確保でき、趣向性を高める部品の配置自由度を向上することができる球貯留装置、貯留タンク一体型球払出装置及び遊技機を提供することを目的とする。
【課題を解決するための手段】
【０００９】
この発明は、多数個の球を貯留する貯留タンクと、該貯留タンクに貯留された球を１列に整列して流下させる球整列通路とを一体化したユニットを、基台を介して遊技機の背面側上部に設置した球貯留装置であって、前記遊技機の背面側上部から水平に突出する水平摺動ガイド部材と、前記水平摺動ガイド部材に沿って前記球整列通路を遊技機の背面に対して前記球の１通路の幅長さ分離間させるように遊技機の奥行き方向へと平行に水平移動させるスライド機構とを備えた水平移動手段を設け、前記水平移動手段により前記球整列通路の終端側に有する球排出口を第１の球排出位置から該第１の球排出位置と並行して前記球の１通路の幅長さ分奥行き方向側に配設された第２の球排出位置へと平行に水平移動させて前記球整列通路の球排出位置を切替える構成としたことを特徴とする。
【００１０】
前記水平移動手段は、球貯留装置の上下方向の移動スペースが確保できない場合の移動手段であり、球整列通路を遊技機背面側の奥行き方向へと水平移動させることで球貯留装置の排出通路を切替えることができる。これにより、１通路の球整列通路を、第１の球排出位置と第２の球排出位置との何れか一方に切替えて接続させることができる構成のため、球整列通路は１通路あればよく、２通路分を形成する必要がなくなり、球整列通路の省スペース化に伴い球貯留装置の小型化が図れる。ことに、球貯留装置の上部及び下部に既設部材が配設されている場合であっても、その設置領域内で球整列通路を水平移動させれば、設置領域の上下領域を回避した移動が可能になり、水平移動によって容易に排出位置を切替えることができる。
【００１１】
前記スライド機構は、少なくとも球整列通路がスライドすればよく、該球整列通路と貯留タンクとを一体化している場合は、これらが一体にスライドするので安定してスライド移動させることができる。よって、球整列通路を水平移動させて球排出位置を切替えた際は、球排出位置を精度よく切替えることができる。
【００１２】
この発明の態様として、前記水平移動手段を、前記貯留タンクを前記遊技機に係止させて、前記球整列通路が移動するのを規制する移動規制手段と、前記移動規制手段の係止状態を解除して、前記球整列通路が移動するのを許容させる移動解除手段とを備えて構成することができる。
【００１３】
前記球整列通路は、移動規制手段によって移動前の本来の位置に固定されている。これに対し、球整列通路を移動させる際は、移動解除手段によって球整列通路の移動規制を解除させれば、球整列通路を容易に移動させることができ、排出位置を切替える操作は球整列通路を水平移動させるだけでよい。
【００１４】
この発明の別の構成として、多数個の球を貯留する貯留タンクと、該貯留タンクに貯留された球を１列に整列して流下させる球整列通路と、球整列通路から整列されて流下される球を回転体の回転送り動作により下流側に払い出す球払出装置とを同傾斜方向に連設してなる一体型ユニットを遊技機の背面側上部に設置した球貯留装置であって、前記球整列通路を遊技機の奥行き方向へと水平移動させる水平移動手段を設け、前記水平移動手段により前記球整列通路を、球払出通路との接続位置より球抜通路との接続位置へと移動させる構成とした貯留タンク一体型球払出装置であることを特徴とする。
【００１５】
前記貯留タンク一体型球払出装置を用いれば、遊技機の背面側上部に配設する場合に、貯留タンクと球整列通路と球払出装置とを同傾斜方向に一体に連設させて配置することができる。ことに、高さを低くして背面側の上部スペースに効率よく配設することができる。また、取付けに際しても、貯留タンク一体型球払出装置を単一のユニットとして遊技機の背面側に簡単に取付けることができる。
【００１６】
このように構成された球貯留装置または貯留タンク一体型球払出装置を遊技機に組込めば、小型化して組み込むことができるため遊技機の背面側では配置スペースの拡大が図れ、大型化した部品の配置が可能になる。よって、遊技の趣向性の改善を図る場合に容易に実現できる。
【発明の効果】
【００１７】
この発明によれば、球整列通路を水平移動させるだけで球の排出位置を一方から他方に切替えることができる。ことに、球整列通路は一方と他方の球排出位置に共通利用できるので該球整列通路は１通路でよく、２つの球整列通路を併設する必要がなくなり、球整列通路の占有領域を縮小化できる。この結果、遊技機の背面側の縮小化が図れ、趣向性を高める各種部品の配置自由度を向上できる。
【実施例１】
【００１８】
この発明の一実施例を以下図面に基づいて説明する。
【００１９】
図１はパチンコ機１１の起立した遊技台盤面の背面側上部に設置される貯留タンク一体型球払出装置１３を示す要部背面図であり、図２はパチンコ機１１の遊技台盤面の背面側上部に設置される貯留タンク一体型球払出装置１３を示す要部斜視図である。
【００２０】
この貯留タンク一体型球払出装置１３は、上方の図示しない補給機構から補給された球を遊技台盤面の背面側上部に有し後述する貯留タンク１６で貯留し、ここで貯留した球を流下させて受け渡す下流端部には、下流通路１４が接続され、遊技台盤面の前面側下部に設けられている受皿（上皿）へと払い出される。さらに、遊技台盤面の背面側中央部には、大型の表示装置や制御部等を備えた基板部１５が配設される。
【００２１】
次に、貯留タンク一体型球払出装置１３について具体的に説明する。
【００２２】
図３は貯留タンク一体型球払出装置１３の外観斜視図であり、図４は貯留タンク一体型球払出装置１３の分解斜視図である。
【００２３】
この貯留タンク一体型球払出装置１３は、上流側の貯留タンク１６と下流側の球整列通路１７とを一体化してなる可動ユニットＵ１と、該可動ユニットＵ１を搭載した状態で前記遊技台盤面の背面側上部に固定設置される固定ユニットＵ２とから構成される。
【００２４】
前記可動ユニットＵ１は、横長に設置した大きな貯留タンク１６と、この貯留タンク１６の台端側に突出する球整列通路１７とを一体に連結した単体構成をとっている。そして、図示しない前記補給機構から補給された球を貯留タンク１６で一時的に貯留し、球の払出時に貯留タンク１６から球を球整列通路１７で一条(１列)に整列して流下させ、流下された球を球整列通路１７に隣接される球払出部１８で送り出し、払出指令された球数を計数して受皿へと払出処理する。
【００２５】
前記貯留タンク１６は、上方の図示しない補給機構から供給された球を受け取れるように、上方が開口された箱型の形状を有している。また、貯留タンク１６の底面は、球が自重により転動して下流側の球整列通路１７へ向かうよう緩やかに傾斜している。さらに、貯留タンク１６の下流側の底面近傍の側壁は、複数の球が球整列通路１７の入口で球詰まりが生じないように、球整列通路１７に近づくにつれて徐々に幅が狭くなるハの字型に形成している。そして、底面近傍の側壁の間隔が球１個分より若干広い程度になったところから下流側の球整列通路１７に連通するように通路状に形成されている。
【００２６】
また、貯留タンク１６の下流側上部には、球高さ制限用のタンク天板１９を備えている。このタンク天板１９は、貯留タンク１６内に積み重なった状態で流下する球の上層部分を受け止めて、その上層部分が流下することを阻止する。そのため、多数の球が重なったまま球整列通路１７に流下することが防止される。
【００２７】
前記球整列通路１７は、貯留タンク１６の下流側に連結され、貯留タンク１６と一体化されて貯留タンク１６から流下される球を、その傾斜面上の下流端部に隣接された球払出部１８へと１個ずつ導くように、球１個分よりも若干広い通路幅を有している。さらに、球整列通路１７の底面は、球が自重によって転動し、貯留タンク１６から球払出部１８へ向かうように、下流側が低くなる緩やかな傾斜角度を有している。
【００２８】
前記球整列通路１７は底面の傾斜角度が小さ過ぎると、球整列通路１７を流下する球の流下速度が遅くなり、流下する球同士の間隔が空いてしまう。そのため、球払出部１８では球噛み、球抜け、といった不具合を生じるおそれがある。逆に、球整列通路１７の底面の傾斜角度が大き過ぎると、球整列通路１７を流下する球に後続の球が当たり、このときに加わる球圧が大きくなり過ぎてしまい、球がうまく整列されず、球詰まりの発生原因になる。そこで、球整列通路１７の底面の傾斜角度は、球の材質や大きさの関係からパチンコ球の場合、５度〜８度の範囲内に設定することが好ましい。球整列通路１７の傾斜角度がこの範囲内に設定されていれば、球整列通路１７を流下する球同士の間隔が広くなり過ぎず、球を連続的に流下させることができ、過剰な球圧が掛かることを防止することができる。
【００２９】
また、球整列通路１７には球を１列に整列した際に、球整列通路１７内で上下方向に複数段に積まれた球を上下２段の高さに整列するための通路天板２０が配設されている。この通路天板２０により上下２段に整列された下流側の球に対しては、さらに１段の高さに整列するための整列ローラ２１が配設されている。このようにして球整列通路１７を流下する球は１条１段に整列されて、その下流側の球払出部１８へと導かれる。また、球整列通路１７の一方の側壁には球検知センサＳ１が配設され、球整列通路１７内の球の有無を検知する。そして、検知した信号は、貯留タンク一体型球払出装置１３の動作を制御する制御部に送信される。
【００３０】
図５は貯留タンク一体型球払出装置１３の球払出状態を示す要部平面図であり、図６は貯留タンク一体型球払出装置１３の球払出状態を示す図５のＡ−Ａ線矢視断面図である。
【００３１】
前記球払出部１８は、後述する固定ユニットＵ２に支持され、該固定ユニットＵ２より可動ユニットＵ１側の球整列通路１７上へと延設されるものであって、球整列通路１７の終端部上面に球払出部１８のスプロケット２２を対設し、このスプロケット２２と球整列通路１７の終端部底面との間に導かれた球Ｐを払出回転方向に１個ずつ連続的に送り出すものである。
【００３２】
そして、球整列通路１７の終端部のスプロケット２２の位置に導かれた球Ｐは、スプロケット２２の回転に伴って１個ずつ下流側に送られる。このスプロケット２２は、球送りに適した送り爪を周方向に等分配設して形成しており、図示しない払出モータ及び動力伝達機構を介して伝達された動力により、スプロケット２２を払い出しに適した一定速度で回転させる。
【００３３】
これにより、ここに導かれた球Ｐは該スプロケット２２の回転に伴って１個ずつ送り爪で仕切って個別送りする。この場合、制御部によって指示された球の個数分だけスプロケット２２は回転し、球整列通路１７を流下してきた球Ｐを該球整列通路１７の終端側開口部１７ａに接続される接続通路３１の終端側開口部３１ａより落下させて放出させ、放出された球Ｐを受皿に通じる下流通路１４へと送り出して払い出す。
【００３４】
このスプロケット２２の回転量は、スプロケット２２に近接して設けられた図示しない回転検知センサによって検知され、その検知した情報は制御部に送られる。また、スプロケット２２の下流側には、スプロケット２２により払い出された球Ｐを計数する球計数センサＳ２を配設している。
【００３５】
前記固定ユニットＵ２はＬ型状を有し、Ｌ型垂直片側の一方の平面的な垂直面１２ａが固定設置面として遊技台盤面の背面側上部にビス止め等によって固定設置される。
【００３６】
また、Ｌ型垂直片側の他方となる垂直面１２ｂ側には、その流下方向の中央部と下流端部側にＬ型水平片と同方向に突出して前記可動ユニットＵ１をスライド支持する第１水平摺動ガイド軸２６と第２水平摺動ガイド軸２８を有している。さらに、Ｌ型水平片には、貯留タンク１６と対応する上流側に重量の掛かる貯留タンク１６の底面を支えるタンク支持片３０を突設させている。また、球整列通路１７と対応する下流側には、前記通路天板２０、整列ローラ２１、球検知センサＳ１、球払出部１８、球計数センサＳ２及び接続通路３１、球抜通路カバー３２、通路仕切板３３等が一体に備えられている。
【００３７】
ところで、貯留タンク一体型球払出装置１３には、ここに払出待機されている全ての球を球抜回収して、空にする球抜機構２３を備えている。この球抜機構２３は、パチンコ機１１の出荷検査時や遊技ホール内でのパチンコ機１１の移動(入れ替え)時、もしくはパチンコ機の撤去(廃棄)時等に使用される。
【００３８】
この球抜機構２３は、貯留タンク一体型球払出装置１３の可動ユニットＵ１を固定ユニットＵ２から離れる奥行き方向にスライドさせるスライド機構２４と、このスライド機構２４を操作者がスライド操作させる操作部２５とから構成される。
【００３９】
前記スライド機構２４は、固定ユニットＵ２より水平に突出させた第１水平摺動ガイド軸２６に、可動ユニットＵ１の第１摺動軸孔２７を摺動自在に挿通させ、同じく固定ユニットＵ２より水平に突出させた第２水平摺動ガイド軸２８に、可動ユニットＵ１の第２摺動軸孔２９を摺動自在に挿通させている。これにより、可動ユニットＵ１は、固定ユニットＵ２に水平にスライド自由に支持される。よって、可動ユニットＵ１は垂直な遊技台盤面の裏側よりパチンコ機１１の奥行き方向へと水平にスライド許容される。
【００４０】
このスライド機構２４によって可動ユニットＵ１をスライドさせたとき、該可動ユニットＵ１の球整列通路１７の終端側開口部１７ａが、接続通路３１を介して球払出通路１４ａと対応している接続位置から球抜通路１４ｂとの接続位置に切替えられる(図１０参照)。
【００４１】
次に、スライド機構２４を操作する操作部２５について説明する。  
図７は操作部２５のロックレバー３４を示す斜視図であり、図８はロックレバー３４による可動ユニットＵ１のスライド規制状態と規制解除状態を示す要部縦断面図である。
【００４２】
前記操作部２５は、樹脂材等の弾性変形可能な材質で形成されるロックレバー３４を可動ユニットＵ１の中央部上面に備えている。このロックレバー３４は、図７に示すように、一端部の上面に指先で押下操作する小さな押下操作面３５を有し、その押下操作面３５の中央寄りに軸支孔３６を開口し、該軸支孔３６から他端部側に向けて上下に平行して延びる長尺の上レバー３７と短尺の下レバー３８とを延設している。また、上レバー３７の先端部下面には固定ユニットＵ２に係止させる鉤型の下向き係止部３７ａを形成しており、下レバー３８の先端部上面にはロックレバー３４の回動を規制するレバーストッパ３８ａを形成している。
【００４３】
このように構成されたロックレバー３４の軸支孔３６にレバー軸３９を横貫させた状態(図４参照)で、該ロックレバー３４を可動ユニットＵ１の中央部上面に凹部形成したレバー収納部４０に収納させている。この場合、レバー収納部４０はスライド方向(奥行き方向)に沿って凹部形成され、スライド方向と直交するレバー収納部４０をまたいだ両側の位置に形成されるレバー軸支部４１に、レバー軸３９をそれぞれ軸支させ、そのレバー軸３９を回動中心としてロックレバー３４の上レバー３７を上下方向に回動自由に軸支してロックレバー３４を収納させている。
【００４４】
通常、ロックレバー３４は、図８(Ａ)に示すように、上レバー３７の下向き係止部３７ａが固定ユニットＵ２側に延出しており、この下向き係止部３７ａと対応する固定ユニットＵ２の上面に形成されている上向き係止部４２に該下向き係止部３７ａが係止されて下向きの回動が規制されている。また、下レバー３８のレバーストッパ３８ａがその上方に対応する可動ユニットＵ１に設けられている下面ストッパ部４３に当接して上向きの回動が規制されている。このため、該ロックレバー３４は上下方向の回動が規制されている。よって、可動ユニットＵ１はロックレバー３４により固定ユニットＵ２にロックされ、両ユニットＵ１，Ｕ２は一体に連結されて固定された状態にある。
【００４５】
これに対し、図８(Ｂ)に示すように、ロックレバー３４の押下操作面３５を押し込むように押下操作すると、該ロックレバー３４はレバー軸３９を中心に上下レバー３７，３８が上向きに回動しようとし、このうち上レバー３７のみが上方に回動し、上向き係止部４２との係止が外れてロック解除される。これに対し、下レバー３８は押下操作面３５が押し込まれても下面ストッパ部４３に当接して回動規制されたままである。これにより、両ユニットＵ１，Ｕ２間の連結が解除されて可動ユニットＵ１のスライドが許容される。そして、押し込み操作を止めると、押下力が除去されて弾性たわみを生じていた下レバー３８の弾性力でロックレバー３４は押下前の図８(Ａ)に示す元の状態に復帰する。
【００４６】
従って、可動ユニットＵ１は最も遊技台盤面の裏側（奥側）に位置する場合、固定ユニットＵ２に具備した上向き係止部４２にロックレバー３４から延出された上レバー３７の下向き係止部３７ａが係止しており、ロックレバー３４の押下操作面３５を押下操作し、下向き係止部３７ａを固定ユニットＵ２の上向き係止部４２から解除しなければ、遊技台盤面の裏側と離れる方向(手前方向)にスライド移動できない構造になっている。
【００４７】
また、可動ユニットＵ１を固定ユニットＵ２に装着後、固定ユニットＵ２の第１水平摺動ガイド軸２６の先端部には抜け防止ストッパ４４がビス４５で固定されており、第２水平摺動ガイド軸２８には球抜通路カバー３２の上流側端部に一体化して備えられる抜止部３２ａ及び通路仕切板３３が各ビス４５でそれぞれ固定されている。これにより、可動ユニットＵ１が遊技台盤面の裏側と離れる方向に引き出されると、可動ユニットＵ１に具備されたリブ（図示せず）に抜け防止ストッパ４４の径方向に突出したリブ４４ａの内面側が当接し、また同時に可動ユニットＵ１の第２摺動軸孔２９が球抜通路カバー３２と一体化されている抜止部３２ａの内面側に当接するため、これより手前には引き出せない構造になっている。
【００４８】
このように構成された貯留タンク一体型球払出装置１３の球抜操作について説明する。
通常、パチンコ機１１が遊技利用されている稼動状態では、図５に示すように、可動ユニットＵ１が最も遊技台盤面の裏側に近い側(奥側)に位置した状態にある。この場合、図８(Ａ)に示すように、可動ユニットＵ１はロックレバー３４が固定ユニットＵ２側に係止されていることで、可動ユニットＵ１が固定ユニットＵ２に連結されてスライド移動が規制されている。
【００４９】
このとき、球整列通路１７はその上方に通路天板２０及び整列ローラ２１が対向した状態となり、その下流側には球払出部１８が位置し、球検知センサＳ１にて球整列通路１７の球を検知するので、制御部からの払出信号に基づき、一連の球払出動作が実行される。そして、球払出部１８によって払い出された球は、図２に示すように、下流通路１４の球払出通路１４ａへと流下し、パチンコ機１１の前面下部に位置する受皿（上皿または下皿）へと払い出される。
【００５０】
ところで、例えばパチンコ機１１の出荷検査時や遊技ホール内でのパチンコ機の移動(入れ替え)時、もしくはパチンコ機の撤去(廃棄)時等のために、貯留タンク一体型球払出装置１３内の球を全て抜き取る場合は、まず図８(Ｂ)に示すように、ロックレバー３４の押下操作面３５を押下操作して可動ユニットＵ１側の下向き係止部３７ａと固定ユニットＵ２側の上向き係止部４２との係止を解除し、固定ユニットＵ２に連結されていた可動ユニットＵ１を規制解除してスライド自由にする。その状態で可動ユニットＵ１を遊技台盤面の裏側より離れる方向に水平にスライドさせると、図９及び図１０に示すように、可動ユニットＵ１が、固定ユニットＵ２と一体の抜け防止ストッパ４４及び抜止部３２ａに当接するまで引き出されて１通路の幅長さ分が動かされる。
【００５１】
この場合、図６に示すように、球整列通路１７内の球Ｐはスプロケット２２により流下を規制されているため、可動ユニットＵ１を引き出すことで、スプロケット２２より上流側の球Ｐ、すなわち、この貯留タンク一体型払出装置１３内の全ての球Ｐを手前に引き出すことができる。このとき、引き出した位置が下方の垂直な球抜通路１４ｂの位置と一致して停止される。
【００５２】
前記球抜通路１４ｂは、球払出通路１４ａと並行して配設されており、球抜通路１４ｂにはスプロケット２２などの通路規制部材がないため、引き出された後の球Ｐは、球抜通路１４ｂを流下することが可能になり、球抜通路１４ｂの下流は下方に排出させるように配設されているため、貯留タンク一体型払出装置１３内の球を全てパチンコ機１１の外部へと抜き取ることができる。
【参考例】
【００５３】
次に、貯留タンク一体型球払出装置１１３の可動ユニットＵ１１を回動させて通路を切替える回動機構１４１について説明する。図１１は参考例の貯留タンク一体型球払出装置１１３の外観斜視図であり、図１２は参考例の貯留タンク一体型球払出装置１１３の分解斜視図である。
【００５４】
この貯留タンク一体型球払出装置１１３は可動ユニットＵ１１を水平に回動させることで通路を切替えることができる回動機構１４１を有している。前記実施例１とは可動ユニットＵ１１を回動させて球抜きする部分のみが異なり、他の構造は同一であるため異なる部分についてのみ説明する。
【００５５】
この回動機構１４１は、可動ユニットＵ１１の回動支点となる軸支部１４２と、可動ユニットＵ１１の回動ガイド部１４３とを備えて構成される。前記軸支部１４２は固定ユニットＵ１２のタンク支持片１３０の上流側端部に支軸１４４を立設し、該支軸１４４と対応する可動ユニットＵ１１の貯留タンク上流側端部に、下面を開口し、上面を閉鎖して前記支軸１４４を被嵌した状態に挿通させる回転軸孔を内周面に有する軸支筒体１４５を設けている。
【００５６】
そして、固定ユニットＵ１２に可動ユニットＵ１１を搭載する際に、固定ユニットＵ１２の支軸１４４に、可動ユニットＵ１１の軸支筒体１４５の回転軸孔を挿通させる。これにより、可動ユニットＵ１１は固定ユニットＵ１２の支軸１４４を中心に回動自由に軸支されて配設されることになる。
【００５７】
前記回動ガイド部１４３は、回動ガイド溝１４６と、抜止レバー１４７とを備えて構成される。前記回動ガイド溝１４６は、可動ユニットＵ１１の中央部上面に、前記軸支部１４２を中心に該可動ユニットＵ１１が回動した際に、緩やかな円弧形の軌跡に沿って形成される溝であり、この回動ガイド溝１４６の内部に後述する抜止レバー１４７が収納ガイドされる。また、回動ガイド溝１４６の溝方向の中間部には回動規制ストッパ１４８を有している。
【００５８】
上述の抜止レバー１４７は、前記回動ガイド溝１４６と対応する固定ユニットＵ１２の上面にビス１４９止めして一体に固定され、該固定位置より回動ガイド溝１４６の円弧形の軌跡に沿う円弧形のレバーを延設し、そのレバー先端部に係止用としてＬ型に屈曲した回動規制片１５０を設けている。
【００５９】
これにより、貯留タンク１１６の上面に設けた回動ガイド溝１４６に合わせて、抜止レバー１４７を装着し、抜止レバー１４７は可動ユニットＵ１１が回動するときの案内ガイドとしての機能と、可動ユニットＵ１１の上方への抜け防止の機能とを備え、さらには可動ユニットＵ１１が予め設定された通路切替え位置の規定の角度を回動した時に、抜止レバー１４７の先端部の回動規制ストッパ１４８が、回動ガイド溝１４６内の回動規制ストッパ１４８に係止されることになり、回動ストッパとしての機能も備えている。
【００６０】
なお、回動機構１４１が実施例１の通路を切替える役目の代りをするため、実施例１のスライド機構２４を構成していた第１水平摺動ガイド軸２６、その第１摺動軸孔２７、抜け防止ストッパ４４、第２摺動軸孔２９等のスライド構成部は省略される。
【００６１】
次に、参考例の貯留タンク一体型球払出装置１１３における球抜操作について説明する。  
通常、パチンコ機が遊技利用されている稼動状態では、図１１及び図１３(Ａ)に示すように、可動ユニットＵ１１が最も遊技台盤面の裏側に近い側(奥側)に位置した状態にある。この場合、可動ユニットＵ１１はロックレバー１３４が固定ユニットＵ１２側に係止されていることで、可動ユニットＵ１１が固定ユニットＵ１２に連結されて回動が規制されている(図８(Ａ)参照)。
【００６２】
このとき、球整列通路１１７はその上方に通路天板１２０及び整列ローラ１２１が対向した状態となり、その下流側には球払出部１１８が位置し、球検知センサＳ１１にて球整列通路１１７の球を検知するので、制御部からの払出信号に基づき、一連の球払出動作が実行される。そして、球払出部１１８によって払い出された球は、下流通路の球払出通路(図２の１４ａ参照)へと流下し、パチンコ機の前面下部に位置する受皿（上皿）へと払い出される。
【００６３】
ところで、例えばパチンコ機の出荷検査時や遊技ホール内でのパチンコ機の移動(入れ替え)時、もしくはパチンコ機の撤去(廃棄)時等のために、貯留タンク一体型球払出装置１１３内の球を全て抜き取る場合は、ロックレバー１３４を押下操作して固定ユニットＵ１２に連結されていた可動ユニットＵ１１を規制解除して回動自由にする。その状態で可動ユニットＵ１１を遊技台盤面の裏側より離れる方向に水平に回動させると、図１３(Ｂ)に示すように、可動ユニットＵ１１の回動規制ストッパ１４８が、固定ユニットＵ１２と一体の抜止レバー１４７の回動規制片１５０に当接するまで回動して引き出され、１通路の幅長さ分が動かされる。
【００６４】
この場合、球整列通路１１７内の球Ｐはスプロケット１２２により流下を規制されているため、可動ユニットＵ１１を引き出すことで、スプロケット１２２より上流側の球Ｐ、すなわち、この貯留タンク一体型払出装置１１３内の全ての球Ｐを手前に引き出すことができる。このとき、引き出した位置が下方の垂直な球抜通路(図２の１４ｂ参照)の位置と対応して停止される。
【００６５】
前記球抜通路は、球払出通路と並行して配設されており、球抜通路にはスプロケット１２２などの通路規制部材がないため、引き出された後の球Ｐは、球抜通路を流下することが可能になり、球抜通路の下流は下方に排出させるように配設されているため、貯留タンク一体型払出装置１１３内の球を全てパチンコ機の外部へと抜き取ることができる。
【００６６】
また、回動機構１４１は可動ユニットＵ１１の全体を回動させる例を示したが、これに限らず、例えば球整列通路１１７の上流側端部を回動自由に軸支して設け、該軸支部を回動支点に球整列通路１１７を首振りするように部分的に回動させても構成することができる。
【００６７】
上述のように、可動ユニットを水平にスライド移動または回動移動させるだけで球の排出位置を一方から他方に切替えることができる。よって、可動ユニットの移動によって切替えられる球整列通路は、一方の球払出通路と他方の球抜通路との何れかに対応させて切替えるという共通利用が図れるので球整列通路は１通路でよくなり、球整列通路の占有する領域を小さくできる。この結果、パチンコ機の背面側の縮小化が図れ、趣向性を高める際の各種部品の配置自由度を向上できる。
【００６８】
この発明の構成と、上述の実施例の構成との対応において、
この発明の遊技機は、実施例のパチンコ機１１に対応し、
以下同様に、
ユニットは、可動ユニットＵ１に対応し、
基台は、固定ユニットＵ２に対応し、
球貯留装置及び一体型ユニットは、貯留タンク一体型球払出装置１３に対応し、
水平移動手段は、スライド機構２４に対応し、
球排出口は、終端側開口部１７ａに対応し、
第１の球排出位置は、球払出通路１４ａに対応し、
第２の球排出位置は、球抜通路１４ｂに対応し、
水平摺動ガイド部材は、第１水平摺動ガイド軸２６と第２水平摺動ガイド軸２８に対応し、
移動規制手段は、下向き係止部３７ａ及び上向き係止部４２に対応し、
移動解除手段は、操作部２５に対応するも、この発明は上述の実施例の構成に限定されるものではなく、請求項に記載される技術思想に基づいて応用することができ、多くの実施の形態を得ることができる。
【図面の簡単な説明】
【００６９】
【図１】実施例１の貯留タンク一体型球払出装置を示すパチンコ機の要部背面図。
【図２】実施例１の貯留タンク一体型球払出装置を示すパチンコ機の要部斜視図。
【図３】実施例１の貯留タンク一体型球払出装置の外観斜視図。
【図４】実施例１の貯留タンク一体型球払出装置の分解斜視図。
【図５】実施例１の貯留タンク一体型球払出装置の球払出状態を示す要部平面図。
【図６】図５のＡ−Ａ線矢視断面図。
【図７】実施例１の操作部のロックレバーを示す斜視図。
【図８】(Ａ)は実施例１のロックレバーによる可動ユニットのスライド規制状態を示す要部縦断面図、（Ｂ）は実施例１のロックレバーによる可動ユニットのスライド解除状態を示す要部縦断面図。
【図９】実施例１の可動ユニットをスライドさせたスライド後の通路切替え状態を示す貯留タンク一体型球払出装置の要部平面図。
【図１０】実施例１の可動ユニットをスライドさせたスライド後の通路切替え状態を示すパチンコ機の要部斜視図。
【図１１】参考例の回動機構を備えた貯留タンク一体型球払出装置を示すパチンコ機の要部斜視図。
【図１２】参考例の貯留タンク一体型球払出装置の分解斜視図。
【図１３】(Ａ)は参考例の貯留タンク一体型球払出装置の球払出状態を示す要部平面図、(Ｂ)は参考例の可動ユニットを回動させた回動後の通路切替え状態を示す貯留タンク一体型球払出装置の要部平面図。
【符号の説明】
【００７０】
１１…パチンコ機
１３，１１３…貯留タンク一体型球払出装置
１４ａ…球払出通路
１４ｂ…球抜通路
１６，１１６…貯留タンク
１７，１１７…球整列通路
１７ａ…終端側開口部
１８，１１８…球払出部
２３…球抜機構
２４…スライド機構
２５…操作部
１４１…回動機構
１４２…軸支部
Ｕ１，Ｕ１１…可動ユニット
Ｕ２，Ｕ１２…固定ユニット
【図１】
0005176408.tif 000002
【図２】
0005176408.tif 000003
【図３】
0005176408.tif 000004
【図４】
0005176408.tif 000005
【図５】
0005176408.tif 000006
【図６】
0005176408.tif 000007
【図７】
0005176408.tif 000008
【図８】
0005176408.tif 000009
【図９】
0005176408.tif 000010
【図１０】
0005176408.tif 000011
【図１１】
0005176408.tif 000012
【図１２】
0005176408.tif 000013
【図１３】
0005176408.tif 000014